(57)【要約】 【課題】  傾斜する構築物であっても、大規模な足場を組むことなく、その構築物の外面近傍で移動可能な足場を実現することにより、その構築物外面に施す処理作業を容易かつ安価に行うことのできる作業用足場装置を提供すること。【解決手段】  水平梯子足場１１、鉛直梯子足場１２、傾斜梯子足場１３を備える作業用足場装置１０であって、水平梯子足場１１を支持しつつローラ部材３２が傾斜鉄管１００の上部で転動して上下方向に移動可能な支持台車１４と、鉛直梯子足場１２を支持しつつローラ部材３２が傾斜鉄管１００の側面で転動して斜め方向（傾斜鉄管１００の上下方向）に移動可能な支持スライダ１５と、水平梯子足場１１に取り付けられて傾斜鉄管１００の上方に固定されたワイヤ１６を巻取・巻出して昇降するウインチ１７と、を設けた。【選択図】      図３
2006291630.tif 000002
【特許請求の範囲】
【請求項１】
傾斜する姿勢で延在する構築物の外面の処理作業を行う際に設置する作業用足場装置であって、
傾斜する構築物の上部に対して水平の姿勢で対面するとともに該構築物の両側部に対して鉛直の姿勢で対面する足場部材と、構築物の上部および両側部に対応する足場部材の部位に取り付けられて該上部および両側部に当接しつつ転動する転動部材と、足場部材に取り付けられて該足場部材を構築物の上下方向に向かって上昇または降下させる昇降手段と、を備えることを特徴とする作業用足場装置。
【請求項２】
前記構築物の外面が断面円形に形成されているのに対して、転動部材は該構築物の外面に垂直に当接して転動するように足場部材に取り付けられていることを特徴とする請求項１に記載の作業用足場装置。
【請求項３】
前記転動部材は、足場部材に支持されている中心回転軸と、該中心回転軸に回転自在に支持されている回転部材と、該回転部材の中心回転軸の周りの３箇所以上に配置された周囲回転軸と、該周囲回転軸に回転自在に支持されているローラ部材と、を備えることを特徴とする請求項１または２に記載の作業用足場装置。
【請求項４】
前記昇降手段は、構築物の上方と足場部材との間にワイヤが張られて該ワイヤの長さを変更する巻取装置、または、構築物の上方および下方にワイヤが張られて該ワイヤを挟持しつつ上下方向に移動する移動装置を備えることを特徴とする請求項１から３のいずれかに記載の作業用足場装置。
【発明の詳細な説明】
【技術分野】
【０００１】
本発明は、作業用足場装置に関し、詳しくは、傾斜する鉄管などの外面の錆落しや塗装などの処理作業を大規模な足場を組むことなく容易に行うことを可能にするものに関する。
【背景技術】
【０００２】
従来より、構築物の外面に対して防錆処理などを施す場合には、その構築物の周囲に足場を組むのが一般的であり、その足場は、錆落しや塗装等の処理を施す構築物の外面の近傍、例えば、作業者の手が届く距離に組まれる。
【０００３】
しかるに、例えば、水力発電用の水を流通させる水路鉄管の外面に防錆処理を施す場合にも、その水路鉄管に沿うように足場を組む必要があるが、この水路鉄管が長い区間に構築されていて、その水路鉄管の全長に亘って足場を組むのでは、大規模な足場になって費用が掛かりすぎてしまう。
【０００４】
このことから、橋梁構築物における作業用足場として、その長手方向に足場を移動可能にした装置が提案されていることから、この足場装置を利用して水路鉄管の延在方向に足場を移動させつつ作業することを実現することが考えられる（例えば、特許文献１参照）。
【特許文献１】特開２００２−２１２９１９号公報
【発明の開示】
【発明が解決しようとする課題】
【０００５】
しかしながら、このような上記文献１に記載の作業用足場装置にあっては、水平の橋梁構築物上を移動する構造になっていることから、例えば、斜面に設置される水路鉄管のように傾斜している場合には、流用することができない。
【０００６】
そこで、本発明は、傾斜する構築物であっても、大規模な足場を組むことなく、その構築物の近傍を昇降可能な足場を実現することにより、その構築物の外面の処理作業を容易かつ安価に行うことのできる作業用足場装置を提供することを目的とする。
【課題を解決するための手段】
【０００７】
上記課題を解決する作業用足場装置の第１の発明は、傾斜する姿勢で延在する構築物の外面の処理作業を行う際に設置する作業用足場装置であって、傾斜する構築物の上部に対して水平の姿勢で対面するとともに該構築物の両側部に対して鉛直の姿勢で対面する足場部材と、構築物の上部および両側部に対応する足場部材の部位に取り付けられて該上部および両側部に当接しつつ転動する転動部材と、足場部材に取り付けられて該足場部材を構築物の上下方向に向かって上昇または降下させる昇降手段と、を備えることを特徴とするものである。
【０００８】
この発明では、傾斜する構築物の上部と両側部に転動部材が当接して足場部材を支持しつつ転動することにより、その構築物の上部と両側部で作業可能な足場部材をそのまま傾斜する構築物に沿って上昇または降下させることができる。したがって、足場部材を構築物に支持させつつその延在方向に移動することができ、その構築物の全長に亘って大規模な足場を組むことなく、その構築物の外面に防錆処理を施すなどの作業を行うことができる。
【０００９】
上記課題を解決する作業用足場装置の第２の発明は、上記第１の発明の特定事項に加え、前記構築物の外面が断面円形に形成されているのに対して、転動部材は該構築物の外面に垂直に当接して転動するように足場部材に取り付けられていることを特徴とするものである。
【００１０】
この発明では、転動部材が円柱形状や円筒形状などの断面円形の構築物の上部と両側部に垂直に当接して転動しつつ足場部材を支持することができる。これにより、足場部材は、構築物の上部に転動部材がしっかりと当接・支持されるとともに、構築物の両側部にも転動部材がしっかりと当接して揺れてしまうことがないように支持される。したがって、足場部材を構築物に安定して支持させつつ移動することができ、その構築物外面の防錆処理などを安定して作業することができる。
【００１１】
上記課題を解決する作業用足場装置の第３の発明は、上記第１または第２の発明の特定事項に加え、前記転動部材は、足場部材に支持されている中心回転軸と、該中心回転軸に回転自在に支持されている回転部材と、該回転部材の中心回転軸の周りの３箇所以上に配置された周囲回転軸と、該周囲回転軸に回転自在に支持されているローラ部材と、を備えることを特徴とするものである。
【００１２】
この発明では、転動部材は足場部材に支持されている中心回転軸を中心にして、回転部材の周囲回転軸が自由回転することができ、この周囲回転軸が回転自在に軸支するローラ部材が構築物の外面に当接して転動することができる。これにより、構築物の外面に突出する部材により先行するローラ部材が衝止されたとしても、そのローラ部材を中心にして他のローラ部材が突出部材を乗り越えるように進行方向に回転して構築物に当接支持させることができる。したがって、例えば、構築物がフランジ形状部で連結されている鉄管部材の場合に、そのフランジ形状部を乗り越えつつ上昇または降下することができる。
【００１３】
上記課題を解決する作業用足場装置の第４の発明は、上記第１から第３のいずれかの発明の特定事項に加え、前記昇降手段は、構築物の上方と足場部材との間にワイヤが張られて該ワイヤの長さを変更する巻取装置、または、構築物の上方および下方にワイヤが張られて該ワイヤを挟持しつつ上下方向に移動する移動装置を備えることを特徴とするものである。
【００１４】
この発明では、構築物の上方または足場部材に固設したワイヤの反対側に巻取装置を設置する場合には、巻取装置でそのワイヤを巻き取りまたは巻き出すことにより、その間のワイヤ長を調整して足場部材を上昇または降下させることができる。また、構築物の上方から下方に張られたワイヤを掴みながら上下動する移動装置を足場部材に設置する場合には、そのワイヤを掴む位置を変更することにより、足場部材を上昇または降下させることができる。したがって、構築物上をローラ部材を転動させるだけでは足場部材を上下方向に移動させることができないほど傾斜する場合にも、その構築物に沿って足場部材を移動させることができる。
【発明の効果】
【００１５】
このように本発明によれば、傾斜する構築物の上部と両側部に転動部材を安定して当接・転動させることにより、その転動部材を支持する足場部材をそのままの姿勢で、その傾斜する構築物に沿って上下動させることができる。したがって、大規模な足場を組むことなく、傾斜する構築物の近傍に足場部材を昇降させることができ、その構築物外面の防錆処理などを安価に行うことができる。
【発明を実施するための最良の形態】
【００１６】
以下、本発明の最良の実施形態を図面に基づいて説明する。図１〜図３は本発明に係る作業用足場の第１実施形態を示す図である。
【００１７】
図１〜図３において、作業用足場装置１０は、例えば、山間部の斜面に傾斜する姿勢で設置されている円筒形状（断面円形）の水力発電用の水路鉄管（構築物）１００の外面に何等かの処理を施す際に使用するものであり、例えば、その傾斜鉄管１００の外面の錆を落として再塗装する防錆処理などを行う場合に最適に用いることができる。
【００１８】
作業用足場装置１０は、傾斜鉄管１００に対して直交する方向でその上部側に対面する水平梯子足場１１と、傾斜鉄管１００の両側部側に対面する鉛直梯子足場１２と、傾斜鉄管１００の斜め上方の両側に対面して水平梯子足場１１および鉛直梯子足場１２を繋げる傾斜梯子足場１３と、水平梯子足場１１を傾斜鉄管１００の上部で上下方向に移動可能に支持する支持台車１４と、鉛直梯子足場１２を傾斜鉄管１００の側部に接触させることなく斜め方向（傾斜鉄管１００の上下方向）に移動可能に支持する支持スライダ１５と、が組み立てられている。すなわち、水平梯子足場１１および鉛直梯子足場１２が足場部材を構成して、傾斜梯子足場１３により行き来可能に連結されている。
【００１９】
この作業用足場装置１０は、水平梯子足場１１の傾斜鉄管１００の上方に向かう側にウインチ（巻取装置）１７が取り付けられており、そのウインチ１７は、傾斜鉄管１００の上方に一端側が固定されたワイヤ１６を巻き取ることにより自身を上方に引き上げて上昇したり、そのワイヤ１６を巻き出して降下することができる。これにより、作業用足場装置１０は、傾斜鉄管１００の傾斜角度がきつくても、ワイヤ１６により降下してしまうことなく作業位置に保持することができ、また、ウインチ１７を操作することにより傾斜鉄管１００の上下方向に向かって移動することができる。
【００２０】
水平梯子足場１１は梯子を水平の姿勢に支持し、鉛直梯子足場１２は梯子を鉛直の姿勢に支持し、傾斜梯子足場１３は梯子を傾斜する姿勢に支持するように組み立てられており、このうちの水平梯子足場１１および傾斜梯子足場１３には、転落を防止する手摺２２が傾斜鉄管１００の上下側に設けられている。これにより、傾斜鉄管１００には、上部および両側部の周囲に安全に作業可能な作業足場が設置されて、その外面の防錆処理などの作業を施すことができる。なお、鉛直梯子足場１２には、Ｕ字形状に湾曲する安全枠の開口側を固設して、その安全枠内で安全に作業できるようにしてもよい。
【００２１】
また、水平梯子足場１１には、傾斜鉄管１００の上側に設置されているウインチ１７の上方に乗り出して作業することができるように、拡張足場２３および手摺２４が取り付けられており、この水平梯子足場１１および拡張足場２３には、足元の下の様子を視認しつつ立って作業することができるように格子状パネル足場、例えば、グレーチング２５が敷かれている。これにより、傾斜鉄管１００には、水平梯子足場１１などが邪魔になって上部を視認することの妨げになってしまうことなく、その上下側からその外面の防錆処理などの作業を施すことができる。
【００２２】
支持台車１４は、傾斜鉄管１００の上下方向に水平梯子足場１１よりも幅広に延在する枠形状に形成されたフレーム３１を備えており、このフレーム３１の四隅に回転軸３１ａが配置されてローラ部材（転動部材）３２を転動自在に軸支している。この支持台車１４のローラ部材３２は、傾斜鉄管１００の上部の前後両側４箇所の外面に向かって垂直に外周面を当接させて傾斜鉄管１００と平行な方向に転動するように軸支されている。
【００２３】
支持スライダ１５は、鉛直梯子足場１２程度の幅で延在する棒状に形成されたフレーム３３を備えており、このフレーム３３の両端部に回転軸３３ａが配置されてローラ部材３２が転動自在に軸支されている。この支持スライダ１５のローラ部材３２は、傾斜鉄管１００の側部の前後２箇所の外面に向かって垂直に外周面を当接させて傾斜鉄管１００と平行な方向に転動するように軸支されている。
【００２４】
これにより、作業用足場装置１０は、支持台車１４のローラ部材３２が傾斜鉄管１００の上部にしっかりと当接して水平梯子足場１１を上下方向に移動可能に安定して支持するとともに、支持スライダ１５のローラ部材３２が傾斜鉄管１００の側部にしっかりと当接して鉛直梯子足場１２を揺れることなく斜め方向（傾斜鉄管１００の上下方向）に移動可能に支持することができ、傾斜鉄管１００に対する姿勢を安定させた状態で足場１１〜１３の位置でその外面の防錆処理などの作業をすることができる。そして、この作業用足場装置１０は、ウインチ１７により傾斜鉄管１００に沿って昇降する際にも、その姿勢を安定させて移動することができ、移動しつつ、または、所望の間隔で移動・停止を繰り返して、傾斜鉄管１００の外面の防錆処理などの作業をすることができる。
【００２５】
なお、この作業用足場装置１０は、傾斜鉄管１００同士を連結するフランジ形状部１０１に支持台車１４や支持スライダ１５のローラ部材３２が突き当たる箇所では、持ち上げて乗り越えさせればよい。
【００２６】
このように本実施形態においては、傾斜する鉄管１００であっても、その上部と両側部に位置する作業用足場装置１０を安定した姿勢で、その傾斜鉄管１００に沿って昇降させることができる。したがって、大規模な足場を組むことなく、傾斜鉄管１００の外面の防錆処理などを安価に行うことができる。
【００２７】
本実施形態の他の態様としては、上述実施形態では昇降手段としてウインチ１７を用いる場合を一例に説明するが、これに限るものではなく、例えば、傾斜鉄管１００の上方および下方にワイヤを張って、そのワイヤを挟持して掴みながら昇降する移動装置に作業用足場装置１０を取り付けてもよい。
【００２８】
次に、図４は本発明に係る作業用足場の第２実施形態を示す図である。ここで、本実施形態は上述実施形態と略同様に構成されているので、同様な構成には同一の符号を付して特徴部分を説明する。
【００２９】
図４において、支持台車１４および支持スライダ１５には、フレーム３１、３３の回転軸（中心回転軸）３１ａ、３３ａに、三角形に形成された回転支持板（回転部材）４１が回転自在に軸支されており、この回転支持板４１の三隅に配置された回転軸（周囲回転軸）４１ａにローラ部材４２が転動自在に軸支されている。
【００３０】
このローラ部材３２は、回転軸４１ａからの半径が傾斜鉄管１００のフランジ形状部１０１の高さよりも大きな寸法に設定されており、ローラ部材４２間にそのフランジ形状部１０１が位置しても回転支持板４１に接触しないように設計されている。なお、回転支持板４１の形状をフランジ形状部１０１に接触しない形状に形成してもよいことはいうまでもない。
【００３１】
これにより、作業用足場装置１０が昇降する際に、傾斜鉄管１００の外面に当接する２つのローラ部材４２が転動してフランジ形状部１０１に衝止された場合でも、作業用足場装置１０がさらに同一方向に移動しようとすると、その衝止されたローラ部材３２を中心にして回転支持板４１（回転軸４１ａ）が進行方向に回転することにより、支持台車１４および支持スライダ１５のフレーム３１、３３の回転軸３１ａ、３３ａが進行方向に進むことができる。よって、この作業用足場装置１０は、先行してフランジ形状部１０１に衝止されたローラ部材４２はそのままにして、傾斜鉄管１００の外面から離隔するローラ部材４２がフランジ形状部１０１を乗り越えて傾斜鉄管１００の外面に当接して転動することができ、さらに同一方向に移動しようとするのに伴って、先行・衝止されていて後ろ側になったローラ部材４２が続けて引きずられるようにフランジ形状部１０１を乗り越えて傾斜鉄管１００の外面での転動を継続することができる。
【００３２】
このように本実施形態においては、上述実施形態による作用効果に加えて、傾斜鉄管１００にフランジ形状部１０１があっても、作業用足場装置１０を持ち上げることなく、そのまま乗り越えさせて作業用足場装置１０を傾斜鉄管１００に沿って昇降させることができる。したがって、傾斜鉄管１００の外面の防錆処理などを効率よく継続することができる。
【産業上の利用可能性】
【００３３】
これまで本発明の一実施形態について説明したが、本発明は上述の実施形態に限定されず、その技術的思想の範囲内において種々異なる形態にて実施されてよいことはいうまでもない。
【図面の簡単な説明】
【００３４】
【図１】本発明に係る作業用足場装置の第１実施形態の概略全体構成を示す図であり、その構築物の下方から見た正面図である。
【図２】その構築物の上方から見た平面図である。
【図３】その構築物の側方から見た側面図である。
【図４】本発明に係る作業用足場装置の第２実施形態の要部構成を示す図であり、そのローラ部材の軸方向から見た側面図である。
【符号の説明】
【００３５】
１０    作業用足場装置
１１    水平梯子足場
１２    鉛直梯子足場
１３    傾斜梯子足場
１４    支持台車
１５    支持スライダ
１６    ワイヤ
１７    ウインチ
２２、２４    手摺
２３    拡張足場
２５    グレーチング
３１、３３    フレーム
３１ａ、３３ａ    回転軸
３２、４２    ローラ部材
４１    回転支持板
４１ａ    回転軸
１００    傾斜鉄管
１０１    フランジ形状部
【図１】
2006291630.tif 000003
【図２】
2006291630.tif 000004
【図３】
2006291630.tif 000005
【図４】
2006291630.tif 000006